(57)【要約】      （修正有）【課題】モバイル機器において、バックライトで周囲の人の迷惑防止や、バックライトが強すぎて文字符号の不鮮明になるのを防止し、機器の体積及び厚みを有効に縮小できるキーボード補助光源を提供する。【解決手段】キーボード補助光源を備えたモバイル機器は、第一機体１００、第二機体１１０、キーボードユニット１２０、発光ユニット１４０及びディスプレイ１３０からなる。第二機体は第一機体に枢設し、第二機体を第一機体に向けて枢設回転し、キーボードユニットは第一機体に設置し、複数個のキーキャップを含み、各キーキャップは押圧面を含みその押圧面は少なくとも文字符号を備え、文字符号は順に重ねた可視光インク層及び波長転換層をからなる。且つ波長転換層は可視光インク層上方に設置し、発光ユニット１４０は第二機体１１０に設置し、発光ユニットはキーボードユニットに向けて光線を発射し、光線は波長転換層が波長を転換して波長転換光線を発する。【選択図】図１
0003170088.tif 000002
【実用新案登録請求の範囲】
【請求項１】
キーボード補助光源を備えたモバイル機器において、
第一機体と、
該第一機体に枢設し、第二機体の上表面を該第一機体の上表面に向けて枢設回転する該第二機体と、
該第一機体に設置するキーボードユニットを含み、そのうち、該キーボードユニットは、
キーキャップは押圧面及び設置面を含み、該押圧面は少なくとも文字符号を備え、該文字符号は可視光インク層及び波長転換層を含む複数個の該各キーキャップと、
前記第一機体と前記設置面の間に設置し、該キーキャップと該第一機体を連接する複数個の連結機構と、
前記第二本体に設置し、前記キーボードユニットに向けて光線を発射し、該光線は前記波長転換層が波長を転換して波長転換光線を発する発光ユニットと、
前記第二機体に設置するディスプレイを含むことを特徴とするキーボード補助光源を備えたモバイル機器。
【請求項２】
前記可視光インク層は前記押圧面上方に設置し、前記波長転換層は前記可視光インク層上方に設置することを特徴とする請求項１記載のキーボード補助光源を備えたモバイル機器。
【請求項３】
前記波長転換光線の発光波長は、４００〜７００nmであることを特徴とする請求項１記載のキーボード補助光源を備えたモバイル機器。
【請求項４】
前記発光ユニットは赤外光発光ユニットであり、前記波長転換層は赤外光インク層とし、該発光ユニット発射の該光線は波長転換層と共に波長転換することによって、該波長転換光線が発生することを特徴とする請求項３記載のキーボード補助光源を備えたモバイル機器。
【請求項５】
前記発光ユニットは、紫外光発光ユニットで、前記波長転換層は紫外光インク層で、該発光ユニットから発射した該光線は、該波長転換層が波長を転換して該波長転換光線を発することを特徴とする請求項３記載のキーボード補助光源を備えたモバイル機器。
【請求項６】
前記キーボード補助光源を備えたモバイル機器は、更に軸方向センサーユニットを含み、それは前記第一筐体に設置して前記発光ユニットに電気連接し、前記第二機体の該第一機体に相対する展開角度をセンサーし、該展開角度に対応して該発光ユニットの発光強度を調整することを特徴とする請求項１記載のキーボード補助光源を備えたモバイル機器。
【請求項７】
前記キーキャップの上表面は、更に保護ゴム層を含み、前記波長転換層上方に設置することを特徴とする請求項２記載のキーボード補助光源を備えたモバイル機器。
【請求項８】
前記キーボード補助光源を備えたモバイル機器は、更にスイッチユニットを含み、前記発光ユニットに電気連接して該発光ユニットの開閉に用いることを特徴とする請求項１記載のキーボード補助光源を備えたモバイル機器。
【請求項９】
前記キーボード補助光源を備えたモバイル機器は、更に光線拡大ユニットを含み、第二機体に設置し且つ該発光ユニット前端に位置し、該発光ユニットの発光角度を広げることを特徴とする請求項１記載のキーボード補助光源を備えたモバイル機器。
【請求項１０】
前記第一機体は、複数個の穿孔を含み、該複数の穿孔は前記キーボードの複数のキーの下方に対応して設置することを特徴とする請求項１記載のキーボード補助光源を備えたモバイル機器。
【請求項１１】
前記キーボードユニットは、更に
前記第一機体内部に設置し、且つ前記キーキャップの下方に対応して設置する複数個の接続点を備える薄膜回路板と、
前記複数の穿孔によって該薄膜回路板に設置し、且つ前記複数のキーキャップの下方に設置する複数個の弾性部品を含むことを特徴とする請求項１０記載のキーボード補助光源を備えたモバイル機器。
【考案の詳細な説明】
【技術分野】
【０００１】
本考案は、モバイル機器に関するもので、特にキーボード補助光源を備えたモバイル機器に係わる。
【背景技術】
【０００２】
ユーザーが夜間もしくは低光源の場所で使用する際、ＰＣのキーボードもしく携帯電話のキー等の入力装置内部には発光装置が設置されているため、ユーザーにキーボード上の文字符号を見やすくしてキーボードを打ちやすくしている。
【０００３】
公知の入力装置の発光装置は、ほとんどが整片式の導光板をバックライトモジュールとしていて発光キー全体を均一なバックライトにしている。但し、バックライトモジュールは一定の厚みを有しているため、該バックライトモジュールによってキーボードを点灯する入力装置の厚みを有効に薄くすることができず、現在のキーボード装置の薄型化への流れを妨げている。
【０００４】
合わせて、ユーザーが低輝度の環境下で使用する際、そのバックライトモジュールの光源輝度が周囲の人に影響を与え、加えて両隣のキー間の隙間から光線が漏れ出て光源を干渉し、反対にユーザーがキーボード上文字符号を識別するのを困難にしている。
【０００５】
その他、公知の折畳み式キーボードの補助光源を備えたモバイル機器は、相対して該キーボードを設置する筐体箇所に、可視光発光ユニットを設置する。該可視光発光ユニットは、光線を出して該キーボードを照射し、低光源環境下での使用を容易にする。しかしながら、該可視光発光ユニットが出射する光線は、ユーザーのディスプレイ快適度に大きく影響を与えている。
【先行技術文献】
【特許文献】
【０００６】
【特許文献１】特開平１１−１９４８７４
【考案の概要】
【考案が解決しようとする課題】
【０００７】
解決しようとする問題点は、ユーザーが低輝度環境で使用した時、公知のキーボードバックライト源によって、周囲の人が迷惑したり、バックライト源が強すぎて複数の文字符号が有効に識別できなかったりするという状況が発生する点であり、またキーボードを点灯する入力装置の厚みを有効に薄くすることができず、現在のキーボード装置の薄型化への流れを妨げている点である。
【課題を解決するための手段】
【０００８】
本考案は、第一機体、第二機体、キーボードユニット、発光ユニット及びディスプレイからなる。該第二機体は、該第一機体に枢設し、該第二機体を該第一機体に向けて枢設回転する。該キーボードユニットは該第一機体に設置し、複数個のキーキャップを含む。各該キーキャップは押圧面を含み、該押圧面は少なくとも文字符号を備え、該文字符号は順に重ねた可視光インク層及び波長転換層を含み、且つ該波長転換層は該可視光インク層上方に設置する。該発光ユニットは該第二本体に設置し、該発光ユニットは該キーボードユニットに向けて光線を発射し、該光線は該波長転換層が波長を転換して波長転換光線を発する。該ディスプレイは該第二機体に設置することを最も主要な特徴とする。
【考案の効果】
【０００９】
本考案のキーボード補助光源を備えたモバイル機器は、ユーザーが低亮度環境で使用した時、キーボードバックライト源によって、周囲の人が迷惑したり、バックライト源が強すぎて複数の文字符号が有効に識別できず不鮮明なるという状況を防止することができる。同時に，バックライトモジュールの空間を節約して，該モバイル機器の体積及び厚みを有効に縮小できるという利点がある。
【図面の簡単な説明】
【００１０】
【図１】本考案の該キーボード補助光源を備えたモバイル機器の立体図である。
【図２】本考案のキーの局部断面図である。
【図３】本考案のキーボード補助光源を備えたモバイル機器の局部拡大図である。
【図４】本考案のキーボード補助光源を備えたモバイル機器の側面図である。
【考案を実施するための形態】
【００１１】
公知技術から鑑み、キーボード補助光源を備えたモバイル機器を提供することを本考案の一つの目的とする。
【００１２】
上述の目的を達成するため、本考案はキーボード補助光源を備えたモバイル機器を提供する。該キーボード補助光源を備えたモバイル機器第一機体、第二機体、キーボードユニット、発光ユニット及びディスプレイを含む。該第二機体は、該第一機体に枢設し、該第二機体を該第一機体に向けて枢設回転する。該キーボードユニットは該第一機体に設置し、該キーボードユニットは複数個のキーキャップ及び複数個の連結機構を含む。各該キーキャップは押圧面及び設置面を含み、該押圧面は少なくとも１つ以上の文字符号を備え、該文字符号は順に重ねた可視光インク層及び波長転換層を含み、且つ該波長転換層は該可視光インク層上方に設置する。該複数の連結機構は該第一機体と該設置面の間に設置し、該キーキャップと該第一機体を連結する。該発光ユニットは該第二本体に設置し、該発光ユニットは該キーボードユニットに向けて光線を発射し、該光線は該波長転換層が波長を転換して波長転換光線を発する。該ディスプレイは該第二機体に設置する。
【００１３】
本考案の該キーボード補助光源を備えたモバイル機器は、該発光ユニットから可視光線を発射して該波長転換層を励起し、該波長転換層が波長を転換して波長転換光線を発する。そのうち該波長転換光線は可視光線とする。これらによって、ユーザーが低亮度環境で使用した時、公知のキーボードバックライト源によって、周囲の人が迷惑したり、バックライト源が強すぎて該複数の文字符号が有効に識別できなかったりという状況を防止することができる。同時に，バックライトモジュールの空間を節約して該モバイル機器の体積及び厚みを有効に縮小できる。
【実施例】
【００１４】
図１は、本考案の実施例のキーボード補助光源を備えたモバイル機器の立体図である。該キーボード補助光源を備えたモバイル機器は、第一機体１００、第二機体１１０、キーボードユニット１２０、ディスプレイ１３０、発光ユニット１４０及び軸方向センサーユニット１５０を含む。
【００１５】
該第一機体１００は上表面１０１を備え、該第二機体１１０は上表面１１１を備える。該第一機体１００は該第二機体１１０に枢設し、該第二機体１１０の上表面１１１を該第一機体１００の上表面１０１向きに枢設回転する。これによって、該第二機体１１０は該第一機体１００の方向に向けて立ち上がり展開角度θを形成したり、もしくは該第一機体１００に合わさったりする。そのうち該展開角度θは、約０〜１８０度である。
【００１６】
図２(図１も参照)は、本考案のキーの局部断面図である。該キーボードユニット１２０は、該第一機体１００に設置し、該キーボードユニット１２０は複数個のキー１２２、複数個の弾性部品１２４及び薄膜回路板１２６を含む。各該キー１２２はキーキャップ１２２０及び連結機構１２２２を含む。該キーキャップ１２２０は、およそ矩形で、且つ押圧面１２２４及び設置面１２２５を備える。該押圧面１２２４は少なくとも文字符号１２２６を設置し、該文字符号１２２６は順に折り畳んだ可視光インク層１２２７、波長転換層１２２８及び保護ゴム層１２２９を含む。該可視光インク層１２２７は太陽光、蛍光灯管もしくは電球照射下で対応するキー１２２の該文字符号１２２６を表示する。
【００１７】
前記波長転換層１２２８は、特定波長の光線照射を受けて発生した波長を転換し波長転換光線となるが、該特定波長の光線が該波長転換層１２２８に照射しない場合、該光線は直接該波長転換層１２２８を通過して該可視光インク層１２２７に照射する。
【００１８】
前記波長転換層１２２８は、赤外光インク層もしくは紫外光インク層でもよく、そのうち該赤外光インク層は、７００〜１４０００nmの赤外光線が介在する発光波長と共に波長を転換し、該文字符号１２２６に対応する波長転換光線を発生する。そのうち該波長転換光線は、可視光線（波長は４００nm〜７００nmの間）である。該紫外光インク層は２００〜４００nmの紫外光線が介在する発光波長と共に波長を転換し、該文字符号１２２６に対応する可視光線を発生させる。本実施例では、該波長転換層１２２８は赤外光インク層である。
【００１９】
前記保護ゴム層１２２９は、該可視光インク層１２２７及び該波長転換層１２２８に被せ、該保護ゴム層１２２９は可透光樹脂、例として紫外光固化樹脂とする。
【００２０】
前記連結機構１２２２は、該第一機体１００と該設置面１２２５の間に設置して、該キーキャップ１２２０と該第一機体１００を連接し、該キーキャップ１２２０を該第一機体１００に相対して上下運動させる。本実施例に於いて、該連結機構１２２２は鋏脚構造であり、該鋏脚構造は二本が交錯して枢設した支持フレームから構成される。
【００２１】
前記第一機体１００は、更に複数個の穿孔１０２を含む。該複数の穿孔１０２は該複数のキーキャップ１２２０下方に対応して設置する。該複数の弾性部品１２４は該複数の穿孔１０２を通して該薄膜回路板１２６に設置し且つ該キーキャップ１２２０下方に対応し、該キーキャップ１２２０が上向きに移動して復位する力を提供する。そのうち各該弾性部品１２４はゴム等の弾性材とする。
【００２２】
前記薄膜回路板１２６は、該第一機体１００内部に設置し、該薄膜回路板１２６は予め複数個の回路レイアウト（図未提示）及び各該弾性部品１２４の設置箇所下方に対応して設置する二接続点１２５を設置する。各該キー１２２を押していない時、該両接続点１２５は互いに通電しない。また該キー１２２を押すと、該弾性部品１２４は該キーキャップ１２２０の加圧作用を受けて下へ変形し、該薄膜回路板１２６の該二接続点１２５に接触して該二接続点１２５を相互に連接して通電させる。また該薄膜回路板１２６の該複数の回路レイアウトを通じて押された該キーキャップ１２２０の文字符号の信号を伝送する。
【００２３】
図１に示すとおり、前記ディスプレイ１３０は該第二本体１１０に設置する。該ディスプレイ１３０は、ユーザーが押した該複数のキー１２２から発した対応の文字符号１２２６表示する。そのうち該ディスプレイ１３０は液晶ディスプレイ（Liquid Crystal Display, ＬＣＤ）である。
【００２４】
前記発光ユニット１４０は該第二本体１１０に設置し、且つ該ディスプレイユニット１３０上方に位置する。該発光ユニット１４０は赤外光発光ユニットもしくは紫外光発光ユニットで、且つ赤外光線もしくは紫外光線が発射される。そのうち赤外光線の発光波長は７００〜１４０００nmの間で、紫外光線の発光波長は２００〜４００nmの間である。該発光ユニット１４０から発射した該光線は、該第二本体１１０の展開角度θが９０〜１２０度である時に該キーボードユニット１２０を含み、該キーボードユニット１２０の該複数のキー１２２に該光線が照射される。
【００２５】
前記キーボード補助光源を備えたモバイル機器が、低輝度環境下で使用する時、該発光ユニット１４０は該波長転換層１２２８に対応する光線を発し、該光線は該波長転換層１２２８が発光する波長を転換して波長転換光線を発する。そのうち該波長転換光線は可視光線である。これにより、ユーザーは低輝度環境下に於いて該キーボードユニット１２０の該複数の文字符号１２２６を簡易に識別することができる。
【００２６】
この他、該キーボード補助光源を備えたモバイル機器は、更に光線拡大ユニット１６０を含む。該光線拡大ユニット１６０は、例として凸レンズとする。図３に示すとおり、該光線拡大ユニット１６０は該第二機体１１０に設置し、且つ該発光ユニット１４０の前端に位置し、該発光ユニット１４０が発射した該光線の照射範囲を拡大するのに用い、該キーボードユニット１２０の該複数のキー１２２をすべて有効に光線が照射され、ユーザーが低輝度環境下で該文字符号１２２６を識別できない状況を防止する。
【００２７】
図４に示すのは、本考案のキーボード補助光源を備えたモバイル機器の側面図である。該軸方向センサーユニット１５０は該第一機体１００に設置し、且つ該発光ユニット１４０に電気連接する。実際に実施する時はこの限りではない。該軸方向センサーユニット１５０はまた該第二機体１１０に設置してもよい。該発光ユニット１４０の発光強度は光線の伝送距離が広がるに連れて徐々に弱くなる。拠って、該第二機体１１０が該第一機体１００に相対して展開角度θが大きくなった時、該発光ユニット１４０と該キーボードユニット１２０の間の距離もそれに伴って増える。
【００２８】
該軸向轉換ユニット１５０は、該発光ユニット１４０から発射した該光線の光強度が、距離が遠すぎることで弱くなり、該波長転換層１２２８が発する波長を転換して波長転換光線を有効に発することができない問題の発生を防止し、更に該波長転換光線の発光強度が弱すぎてユーザーが低亮度環境光線で有効に該複数の文字符号１２２６を識別できなくなることを防止する。
【００２９】
該軸方向センサーユニット１５０は、第二機体１１０と該第一機体１００の展開角度θを感知し、該展開角度θに対応して制御信号を伝送し、該発光ユニット１４０の発光強度を制御する。そのうち該第二機体１１０と該第一機体１００の展開角度θが大きくなればなるほど、該発光ユニット１４０の照射光強度が強くなり、該文字符号１２２６の該波長転換層１２２８と該光線発生波長転換を保つことで、波長転換光線の発光強度を発する。
【００３０】
この他、該キーボード補助光源を備えたモバイル機器は、更に該スイッチユニット１７０を含む。該スイッチユニット１７０は該第一機体１００に設置して該発光ユニット１４０に電気連接し、該発光ユニット１４０の開閉に用いる。実際に実施する時、該スイッチユニット１７０は該第二機体１１０に設置してもよい。該スイッチユニット１７０は、機械式スイッチ部品もしくは環境光センサー部品でもよく、そのうち該環境光センサー部品は該キーボード補助光源を備えたモバイル機器が始動した時、自動的に環境光線をセンサーする。更に該環境光線が低輝度の時、該発光ユニット１４０が稼働する。また、該スイッチ部品１７０は該機械式スイッチ部品及び環境光センサースイッチ部品を含んでもよく、ユーザーが使用状態に基づいて該発光ユニット１４０の始動もしくは停止を決める。
【００３１】
以上から、本考案の該キーボード補助光源を備えたモバイル機器は、該発光ユニットが可視光線を発射して該波長転換層を励起し、該波長転換層が波長を転換して波長転換光線を発する。そのうち該波長転換光線は可視光線とする。拠って、ユーザーが低輝度環境で使用する時、公知のキーボードバックライトが周囲の人に影響を与えたり、バックライト源の強度が強すぎることで複数の文字符号が識別できなかったりする状況を防止する。同時にバックライトモジュールを設置する空間を節約して該モバイル機器の体積及び厚みを有効に縮小し、製造コストを下げる。
【００３２】
以上は、本考案の良好な実施例にすぎず、本考案実施の範囲を制限するものではない。即ち、本考案に基づく変化及び修飾等はすべて、本考案の請求範囲に含まれる。
【符号の説明】
【００３３】
１００        第一機体
１０１        上表面
１０２        穿孔
１１０        第二機体
１１１        上表面
１２０        キーボードユニット
１２２        キー
１２２０        キーキャップ
１２２２        連結機構
１２２４        押圧面
１２２５        設置面
１２２６        文字符号
１２２７        可視光インク層
１２２８        波長転換層
１２２９        保護ゴム層
１２４        弾性部品
１２５        接続点
１２６        薄膜回路板
１３０        ディスプレイ
１４０        発光ユニット
１５０        軸方向センサーユニット
１６０        光線拡大ユニット
１７０        スイッチユニット
Θ        展開角度
【図１】
0003170088.tif 000003
【図２】
0003170088.tif 000004
【図３】
0003170088.tif 000005
【図４】
0003170088.tif 000006